(57)【要約】【課題】筆記時の筆圧により適性且つ一定量のインキをペン先へと流出、供給でき、また、連続筆記に必要なインキの流出量を制御することができるバルブ機構を備えた筆記具を提供することを課題とする。【解決手段】インキタンク軸１と、ペン先２と、インキタンク軸１の先端部に内装されてペン先２へのインキの供給を制御するバルブ機構部３と、インキタンク軸１の先端部に取り付けられてペン先２を摺動可能に支持するペン先ホルダー４とから成り、ペン先２はその内端部が弁芯２１の着座ブロック２２に固定されて弁芯２１と一体に移動可能にされ、その内方移動端は着座ブロック２２が弁ケース本体１２の内天面に形成される段部２８に当接することによって規制され、その外方移動端は着座ブロック２２の着座面２３が常時受座筒６の受座部７に当接することによって規制される。【選択図】図１
2013144379.tif 000002
【特許請求の範囲】
【請求項１】
インキタンク軸と、ペン先と、前記インキタンク軸の先端部に内装されて前記ペン先へのインキの供給を制御するバルブ機構部と、前記インキタンク軸の先端部に取り付けられて前記ペン先を摺動可能に支持するペン先ホルダーとから成り、
前記バルブ機構部は、前記インキタンク軸の先端部内に嵌装される弁ケースと、前記弁ケースの下部に配備される受座筒と、前記受座筒の受座部に対して離接する着座面を有する着座ブロックを備えていて前記弁ケース内に摺動可能に支持される弁芯と、前記着座ブロックの着座面が常時前記受座筒の受座部に当接するように前記弁芯に作用するリターンスプリングとから成り、
前記ペン先はその内端部が前記弁芯の着座ブロックに固定されて前記弁芯と一体に移動可能にされ、その内方移動端は前記着座ブロックが前記弁ケースの内天面に形成される段部に直接的に又は間接的に当接することによって規制され、その外方移動端は前記着座ブロックの着座面が常時前記受座筒の受座部に当接することによって規制されることを特徴とするバルブ機構を備えた筆記具。
【請求項２】
前記弁ケースの前記段部に溝又は突起を形成することにより、前記ペン先が押し込まれて前記内方移動端に到達した際において、前記段部部分に流量が規制されたインキ流路が形成されるようにした、請求項１に記載のバルブ機構を備えた筆記具。
【請求項３】
溝又は突起を有するリング状又は円筒状の流量規制体を前記弁ケースの前記段部に当接するように嵌合することにより、前記ペン先が押し込まれて前記内方移動端に到達した際において、前記段部部分に流量が規制されたインキ流路が形成されるようにした、請求項１に記載のバルブ機構を備えた筆記具。
【請求項４】
前記流量規制体をゴム又は樹脂製エラストマーその他の軟質弾性材で形成した、請求項３に記載のバルブ機構を備えた筆記具。
【請求項５】
前記着座ブロックに前記ペン先の内端部を嵌入支持するペン先支持孔を穿設した、請求項１乃至４のいずれかに記載のバルブ機構を備えた筆記具。
【請求項６】
前記着座ブロックの着座面を円錐状又は球面状にした、請求項１乃至５のいずれかに記載のバルブ機構を備えた筆記具。
【発明の詳細な説明】
【技術分野】
【０００１】
本発明はバルブ機構を備えた筆記具、より詳細には、バルブ機構を備えた直液式のマーカー等の筆記具であって、ペン先がペン軸内部へ押し込まれることによりバルブが開いてインキがペン先に供出され、筆記可能となるバルブ機構を備えた筆記具に関するものである。
【背景技術】
【０００２】
マーカー等の筆記具は、軸内にインキを含浸させた中綿を装填する中綿式タイプと、軸内に直接インキを注入する直液式（生インキ式）タイプとに大別される。従来のマーカーとしては中綿式のものが多かったが、中綿式の場合は、一端ペン先が乾くと、再び筆記可能状態にまでインキが染み込むのに時間がかかり、また、素早く筆記した場合は、インキの染み込みが追い付かないために筆記した文字が掠れるという欠点がある。
【０００３】
これに対して直液式の場合は、ペン先がインキタンク軸内に貯留されたインキに直接触れていてインキの染み込みが迅速なため、ペン先の乾きがなく、素早く筆記した場合においてもインキの染み込みがこれに追従するため、筆記文字が掠れることもないところから、最近では、直液式のものが主流となってきている。
【０００４】
ところで、直液式の場合は、ペン先に過剰にインキが染み出て、所謂インキのボタ落ち現象が起こるおそれがあるため、ペン先を押し込むことによって開放されるバルブ機構を配設し、ペン先にインキが過剰に供給されることを抑止するバルブ式タイプのものが多く出回っている。
【０００５】
現在実用化され市販されているバルブ機構を備えた筆記具におけるバルブ機構の多くは、基本的には、特許文献１（実公平１−１１５０５号公報）に記載のバルブ構造に似通ったものである。即ち、弁座に対して離接する弁体をリターンスプリングで常時閉弁方向に付勢し、ペン先にそのスプリングのバネ圧を上回る筆圧が加わったときに、弁体が移動して開弁し、通液可能となるという基本構造を有するものである（図１１参照）。
【０００６】
しかしながら、このバルブ機構の場合は、インキの流出量を制御する機能がないために筆記中にインキが供給過多となり、インキのボタ落ちが発生し易いという欠点があった。
【０００７】
このインキのボタ落ちを防止することを企図したものとして、特許文献２（特開平６−２８６３８６号公報）に記載の筆記具がある。この筆記具は、バルブ弁に対する開口量(又は開弁量)を小さく規制することにより、筆記時に常に一定量のインキを安定供給できるようにし、以て、ボタ落ちの発生を防止するようにしたものである。
【０００８】
しかし、この筆記具の場合、ボタ落ち防止の点では優れているものの、筆記に際してのバルブ弁の開口量が小さいためにインキの流出抵抗が大きく、ペン先（ペン体）にインキが充分に浸透するまでに時間がかかるという問題がある。また、開口量、換言すれば、インキの流出量が、バルブ弁のストローク（移動長さ）に依存するため、インキの流出量を変更することが容易ではないという欠点がある。
【０００９】
また、特許文献３（特許第４５６５８９４号公報）には２種の筆記具が開示されており、そのうちの第１の筆記具は、コイルスプリング（コイルバネ）の全圧縮寸法を変えるだけで弁機構部の開口量を変えることができるので、容易に仕様変更が可能という利点がある。しかしながら、この第１の筆記具の場合は、連続筆記するためには開口量を小さくする必要があるため、上記特許文献２の筆記具の場合と同様の欠点がある。
【００１０】
特許文献３に記載の第２の筆記具は、同一のコイルスプリングに大小２組のピッチ部を設け、二段階動作する弁機構を備えたものである。この第２の筆記具は、ペン先を強く押すことにより開口量を大きくできるので、初期使用時に短時間でインキをペン先へと流出・供給できる点で優れている。しかしながら、コイルスプリングは全長やピッチに対する製造誤差が大きいため、バルブ弁の開口量をバラツキなく一定の値に保つことが難しいという欠点がある。特に、筆圧の強い人が使用した場合には、二段目のバネも動作してしまい、開口量が大きくなってインキが過剰に流出するおそれがある。
【００１１】
更に、従来の上記いずれの筆記具の場合においても、ペン先の内端細径部を嵌入支持する支持部が着座部から長く延びるように形成されていて、その分ペン芯がインキに接触する部分が制約される。そのため、初期使用時におけるインキのペン芯への浸透に時間がかかるという問題がある。
【先行技術文献】
【特許文献】
【００１２】
【特許文献１】実公平１−１１５０５号公報
【特許文献２】特開平６−２８６３８６号公報
【特許文献３】特許第４５６５８９４号公報
【発明の概要】
【発明が解決しようとする課題】
【００１３】
本発明は、上記従来技術における種々の問題点を解消するためになされたもので、本発明の第１の課題は、筆記時の筆圧により適性且つ一定量のインキをペン先へと流出、供給でき、また、連続筆記に必要なインキの流出量を制御することができるバルブ機構を備えた筆記具を提供することにある。
【００１４】
また、本発明の第２の課題は、初期使用時に、短時間でインキをペン先へと流出、供給でき、連続筆記に必要なインキの流出量をバルブ機構の弁芯のストローク、即ち、バルブ弁の開口量とは独立に制御できるようにしたバルブ機構を備えた筆記具を提供することにある。
【００１５】
また、本発明の第３の課題は、弁芯のストロークやリターンスプリングの変形量に依存することなく、常に一定のインキ流出量を保つことができ、ペン先の太さや線幅、即ち、インキの流出量及びインキの粘度等の差違による仕様変更が容易であり、且つ、連続筆記に必要なインキの流出量を弁芯のストローク、即ち、バルブ弁の開口量とは独立に制御できるようにしたバルブ機構を備えた筆記具を提供することにある。
【００１６】
更に本発明の第４の課題は、強い筆圧がかかった場合においても、ペン先の先端が潰れたり、変形したりするおそれがないバルブ機構を備えた筆記具を提供することにある。
【課題を解決するための手段】
【００１７】
上記課題を解決するための請求項１に記載の発明は、インキタンク軸と、ペン先と、前記インキタンク軸の先端部に内装されて前記ペン先へのインキの供給を制御するバルブ機構部と、前記インキタンク軸の先端部に取り付けられて前記ペン先を摺動可能に保持するペン先ホルダーとから成り、前記バルブ機構部は、前記インキタンク軸の先端部内に嵌装される弁ケースと、前記弁ケースの下部に配備される受座筒と、前記受座筒の受座部に対して離接する着座面を有する着座ブロックを備えていて前記弁ケース内に摺動可能に支持される弁芯と、前記着座ブロックの着座面が常時前記受座筒の受座部に当接するように前記弁芯に作用するリターンスプリングとから成り、前記ペン先はその内端部が前記弁芯の着座ブロックに固定されて前記弁芯と一体に移動可能にされ、その内方移動端は前記着座ブロックが前記弁ケースの内天面に形成される段部に直接的に又は間接的に当接することによって規制され、その外方移動端は前記着座ブロックの着座面が常時前記受座筒の受座部に当接することによって規制されることを特徴とするバルブ機構を備えた筆記具である。
【００１８】
一実施形態においては、前記弁ケースの前記段部に溝又は突起を形成することにより、前記ペン先が押し込まれて前記内方移動端に到達した際において、前記段部部分に流量が規制されたインキ流路が形成されるように構成される。
【００１９】
また、他の実施形態においては、溝又は突起を有するリング状又は円筒状の流量規制体を前記弁ケースの前記段部に当接するように嵌合することにより、前記ペン先が押し込まれて前記内方移動端に到達した際において、前記段部部分に流量が規制されたインキ流路が形成されるように構成される。この場合、前記流量規制体はゴム又は樹脂製エラストマー等の軟質弾性材で形成される。
【００２０】
また、一実施形態においては、前記着座ブロックに前記ペン先の内端部を嵌入支持するペン先支持孔が穿設され、また、前記着座ブロックの着座面が円錐状又は球面状にされる。
【発明の効果】
【００２１】
本発明に係る筆記具は上記のとおりであって、そのペン先はその内端部が前記弁芯の着座ブロックに固定されて前記弁芯と一体に移動可能にされ、その内方移動端は前記着座ブロックが前記弁ケースの内天面に形成される段部に直接的に又は間接的に当接することによって規制され、また、その外方移動端は前記着座ブロックの着座面が常時前記受座筒の受座部に当接することによって規制されるため、ペン先には筆記時の筆圧に応じて常に適正且つ一定量のインキが供給され、過剰量のインキが供給されることによるインキのボタ落ちが起こるおそれがないという効果がある。
【００２２】
請求項２及び３に係る発明においては、弁ケース内天面の段部又は流量規制体に形成される溝又は突起の数並びに大きさに応じて、弁ケース内へのインキの流入量及びペン先へのインキの供給量を規制でき、且つ、その溝又は突起の数又は大きさを変えることによって、弁ケース内へのインキの流入量及びペン先へのインキの供給量を調整することができるので、仕様に適合する性能・品質の筆記具を提供することが容易なる効果がある。
【００２３】
また、最初に筆記を開始する時には、ペン先の先端までインキを速やかに浸透させる必要があるが、本発明に係る筆記具においては、上記のとおり、筆記中に必要なインキの流入量を常に一定に保つことができるので、弁芯のストローク、即ち、バルブ弁の開口量を大きく設定することができ、以て、短時間にての対応が可能となる効果がある。
【００２４】
更に請求項５に係る発明においては、筆記に適した筆記圧以上の強い筆圧がかかった場合にも、ゴム又はエラストマー等の軟質弾性体を用いて形成した複数の突起又は溝を持つリング形状部材がクッションとして機能するため、ペン先の潰れや変形が抑止される効果がある。
【図面の簡単な説明】
【００２５】
【図１】本発明の一実施形態のペン先に筆圧が加わっていない時（閉弁時）における内部構成を示す縦断面図である。
【図２】本発明の一実施形態のペン先に筆圧が加わっている時（開弁時）における内部構成を示す縦断面図である。
【図３】図１におけるＡ−Ａ線断面図である。
【図４】本発明に係る筆記具のバルブ機構部に使用される弁芯のそれぞれ異なる構成例を示す図である。
【図５】本発明の他の実施形態のペン先に筆圧が加わっていない時（閉弁時）における内部構成を示す縦断面図である。
【図６】本発明の他の実施形態のペン先に筆圧が加わっている時（開弁時）における内部構成を示す縦断面図である。
【図７】図５におけるＢ−Ｂ線断面図である。
【図８】本発明の更に他の実施形態のペン先に筆圧が加わっていない時（閉弁時）における内部構成を示す縦断面図である。
【図９】本発明の更に他の実施形態のペン先に筆圧が加わっている時（開弁時）における内部構成を示す縦断面図である。
【図１０】図８及び図９に示す実施形態において用いられる流量規制体の２つの構成例を示す図である。
【図１１】従来の筆記具のバルブ機構部の構成を示す縦断面図である。
【発明を実施するための形態】
【００２６】
本発明を実施するための形態を、添付図面に依拠して説明する。なお、以下の説明においては、図１に示す状態において下側（ペン先側）を先端側と表現し、上側を後端側と表現している。
【００２７】
本発明に係るバルブ機構を備えた筆記具は、インキタンク軸１と、ペン先２と、インキタンク軸１の先端部に内装されてペン先２へのインキの供給を制御するバルブ機構部３と、インキタンク軸１の先端部にねじ付けられてペン先２を保持するペン先ホルダー４とから成り、ペン先２は、バルブ機構部３及びペン先ホルダー４内において摺動可能に支持される。
【００２８】
なお、インキタンク軸１の後端部にネジ付きの着脱可能な尾栓部を設け、その尾栓部を着脱してインキタンク軸１内に交換可能なリフィールを搭載するタイプに構成することもできる。ペン先２は、合成樹脂製繊維（アクリル、ポリエステル、ナイロン等）の樹脂加工体、樹脂加工したフェルト、合成樹脂の発泡体、多孔質の成形体等の、一般にペン先として用いられているインキが毛細管作用によって導出される材料製で、砲弾形、ナタ形（チーゼル形）、平形（カリグラフ形）、その他任意の形状となし得る。
【００２９】
バルブ機構部３は、インキタンク軸１の先端部内に嵌装される弁ケース５と、弁ケース５の下部に嵌合される受座筒６と、弁ケース５内において摺動可能に支持される弁芯２１と、弁芯２１を取り巻くようにして弁ケース５内に配装されるリターンスプリング２５とから成る。
【００３０】
弁芯２１はその下部に、受座筒６の受座部７に対して離接する、外方に張り出す着座面２３を有する着座ブロック２２を備える。通例、受座部７は、受座筒６の上面開口を内方に窄めて形成される環状鍔部である。リターンスプリング２５は、着座ブロック２２の着座面２３が常時受座筒６の受座部７に当接するように、弁芯２１を付勢する。以下に、バルブ機構部３のより詳細な実施態様について説明する。
【００３１】
先ず、図１乃至図３に示される実施形態について説明する。この実施形態における弁ケース５は、下端に外方向に延びるフランジ１１を有する弁ケース本体１２と、弁ケース本体１２上に延設される弁芯支持部１３とから成る。弁ケース５は、縮径化されたインクタンク軸１の下端部に嵌装されるが、その際、そのフランジ１１がインクタンク軸１の開口端面に密着状態となるようにされる（図１、２参照）。
【００３２】
弁ケース本体１２の内天面中央部に、そこから弁芯支持部１３を貫通して上面に抜ける弁芯支持孔１５が穿設され、その上方開口部は縮径化されて弁体受口１６が形成される。リターンスプリング２５は、弁芯２１を取り巻くようにして弁芯支持孔１５内に配装され、その上端部が、弁芯支持孔１５の上部周面に突設されるガタ防止用のリブ２６によって保持され（図３参照）、その下端部は着座ブロック２２の上面に当接して、常時着座ブロック２２を下方に押下するように作用する。
【００３３】
弁芯２１は着座部２２から上方に延び、その上部が弁芯受口１６に摺動自在に挿通されることにより、その上下動動作を支持される。弁芯支持部１３には、インキタンク軸１内のインキを常時弁芯支持孔１５内に導入するための開口又は縦スリット１７が複数形成される。
【００３４】
図４は、弁芯２１のそれぞれ異なる構成例を示すもので、それらはいずれも、丸棒状の弁芯本体２１ａと、拡径部２１ｂと、着座ブロック２２とから成り、着座ブロック２２から拡径部２１ｂにかけて、ペン芯２の嵌入軸２ａを嵌入するペン先支持孔２１ｃが穿設されることに変わりはないが、（Ａ）に示すものは着座面２３が円錐形状となっているのに対し、（Ｂ）に示すものは、着座面２３が球面状である点で異なっている。
【００３５】
また、図４の（Ｃ）及び（Ｄ）に示すものは、着座ブロック２２の端面に、複数のスリット２５を有する囲周壁２４が延設されている点で、（Ａ）及び（Ｂ）のものとは異なっている。この囲周壁２４には複数のスリット２４ａが形成されているため、初期使用時におけるインキのペン芯への浸透に時間がかかるという、上記従来技術におけるような問題は起こらない。なお、（Ｃ）に示すものは着座面２３が円錐状であるのに対し、（Ｄ）に示すものは着座面２３が球面状となっている点においてそれぞれ相違している。
【００３６】
また、弁ケース５の下部に、上述したように環状鍔部である受座部７を有する受座筒６が嵌装される。受座筒６の下端部には外方向に延びるフランジ２７が形成され、受座筒６が弁ケース５の下部に嵌装される際、そのフランジ２７が弁ケース５のフランジ１１に重なり合って密着するようにされる。
【００３７】
上述したように弁芯２１は、その下部に受座筒６の受座部７に対して離接する外方に拡がる着座面２３を有する着座ブロック２２を備えていて、弁芯支持孔１５内に配置され、その上部が弁芯受口１６内によって支持されるが、その着座ブロック２２の径は弁芯支持孔１５の内径より大に設定される。
【００３８】
従って、着座ブロック２２は、ペン先２が押し込まれた際に弁芯支持孔１５内に進入することはない。即ち、弁ケース５の内天面に弁芯支持孔１５が穿設されることによって当該内天面に形成される段部２８が、着座ブロック２２に対してストッパーとして作用し、以て、弁芯２１及びそれに一体化されているペン先２の内方移動端が規制される。
【００３９】
ペン先２は、ペン先ホルダー４内に保持され、その上端部に形成される細径の嵌入軸２ａが着座ブロック２２のペン先支持孔２１ｃ内に嵌入されることによって弁芯２１に固定され、弁芯２１と一体となって上下動する。ペン先ホルダー４は、その上部開口の内周面にメネジ３１が切られていて、オネジが切られたインキタンク軸１の下端部にねじ付けられる。そして、ペン先ホルダー４の下部は縮径化され、その縮径部３２において、ペン先２の先端部を摺動可能に支持する。通例、ペン先２の中間部に、インキを一旦保持し、インキをペン先にスムーズに浸透させるための保持体３３が巻装される。
【００４０】
上記構成において、平時、即ち、ペン先２が押し込まれていない時は、リターンスプリング２５の弾発力で着座ブロック２２を介して弁芯２１が先端方向に付勢されることにより、着座ブロック２２の着座面２３が受座部７に密着し続けるため、インキが受座部７を通って先端側に供給されることが阻止される（図１に示す閉弁状態参照）。この時インキタンク軸１内のインキは、弁芯支持部１３のスリット１７（又は開口）から常時弁芯支持孔１５内に流入し、弁芯２１の周囲の空間を通って弁ケース５内の受座部７よりも上側部分に貯留される。
【００４１】
筆記に際してペン先２に筆圧がかかると、その筆圧に応じてペン先２が、弁芯２１と一体となってリターンスプリング２５の弾発力に抗して押し込まれるため、着座面２３が受座部７から離れる（図２に示す開弁状態参照）。かくして、弁ケース５内の受座部７よりも上側部分に貯留されていたインキは、受座部７を通って弁ケース５下部の受座筒６内に流入し、そこに露呈しているペン先２の内端部付近から速やかにペン先２全体に浸透する。
【００４２】
この筆圧に伴うペン先２及び弁芯２１の内方向移動は、着座ブロック２２の上面が弁ケース５の段部２８に当接することによって規制され、同時に、インクタンク軸１内のインキが弁芯支持孔１５から弁ケース本体１２内部に導入されることが阻止される。かくして、インキがペン芯２に対して過剰に供給されることが抑止されて、筆記に必要な適性且つ一定量のインキのみがペン先２へと供給されることになるので、インキのボタ落ちが抑止されるのである。そして、筆圧が解除されると、リターンスプリング２５の作用で弁芯２１及びペン先２が先端側に移動し、図１に示す閉弁状態に復帰する。
【００４３】
なお、ペン先２へのインキ供給量を決定することになる弁ケース本体１２のインキ貯留部Ａの容積は、開弁時における着座ブロック２２の着座面２３と受座部７との間の間隔設定次第で任意に設定することができ、その設定により、ペン先２に対する適性且つ一定量のインキ供給を可能にすることができる。例えば、その設定により、紙面上に直径２センチの円を５０回以上連続筆記可能にすることができる。因みに、日本語や英語を含め、ペン先を紙面から浮かすことなく２０文字以上筆記することは少ないので、上記設定で通常筆記に十分な性能とすることができる。
【００４４】
次いで、図５乃至図７に示される第二の実施形態について説明する。この第二の実施形態は、上記第一の実施形態における弁ケース５の段部２８に、溝２９又は突起を形成することにより、狭いインキ流路を確保したものである。即ち、当該溝２９あるいは突起間の空間が弁芯支持孔１５並びに弁ケース本体１２内に連通するようにすることで、スリット１７（又は開口）から弁芯支持孔１５及び溝２９を経て弁ケース本体１２内に至る、限定されたインキ流路が形成されるのである。その他の構成は、上記第一の実施形態における構成と同じである。
【００４５】
この第二の実施形態においては、ペン先２が押し込まれて着座ブロック２２の上面が弁ケース本体１２の段部２８に当接しても、上記スリット１７（又は開口）から弁芯支持孔１５及び溝２９を経て弁ケース本体１２内に至る限定されたインキ流路が常時開放状態に確保されるため、少量づつではあるが、一定量のインキが弁ケース本体１２内に供給されて、ペン先２に含浸され続ける。従って、連続筆記しても、文字の掠れが起こるおそれはない。
【００４６】
インキの供給量は、溝２９（又は突起間の間隔）のサイズを変更することにより、上記特許文献２におけるように、弁の開口量に依存することなく、任意に設定することができ、ペン先２に対して安定的に定量供給することが可能となる。即ち、インキの流出量とは独立に弁の開口量を大きくすることができて、インキ貯留部Ａ内でのインキと空気の置換（又は交換）がスムーズに行われるため、インキの流出抵抗を少なくすることができる。かくして、ペン先２へのインキ供給が充分且つ安定したものとなり、初期筆記時においても、特許文献３に記載のバルブ機構と同等以上の短時間での筆記が可能となる。
【００４７】
更に、インキの供給量の規制は、特許文献３に記載の例のように不安定なコイルスプリングを用いて行うのではなく、溝２９（又は突起間の空間）の大きさの設定により行うため、インキの流出量を常に一定にすることができ、以て、筆記中におけるインキのボタ落ちをなくし、且つ、滑らかな連続筆記を可能にすることができる。
【００４８】
次いで、図８乃至図１０に示される第三の実施形態について説明する。この第三の実施形態は、上記第二の実施形態におけると同様の技術思想に基づくものであるが、第二の実施形態における加工上の問題を解消することを企図している。即ち、第二の実施形態の場合、インキの流出量の調整のためには溝２９又は突起のサイズや間隔を変更する必要があって、その都度金型を変更することを余儀なくされ、コストアップにつながるという問題がある。
【００４９】
即ち、弁ケース本体１２の段部２８に溝２９又は突起を形成することにより限定されたインキ流路を画成する代わりに、周壁に少なくとも１つの溝３８を設けた環状の流量規制体３７を、弁ケース本体１２にその段部２８に当接するように嵌装することにより、上記同様の限定されたインキ流路を確保するようにしたものである。その他の構成は、上記第一及び第二の実施形態における構成と同じである。
【００５０】
流量規制体３７は、例えば、図１０に示されるように、内径が弁芯支持孔１５と同径又はほぼ同径となるように形成され、その周壁に形成された溝３８を介して弁芯支持孔１５と弁ケース本体１２内とが常時連通状態となり、以て、スリット１７（又は開口）から弁芯支持孔１５及び溝３８を経て弁ケース本体１２内に至る、限定されたインキ流路が形成されるのである。図１０からも明らかなように、流量規制体３７の高さ並びに溝３８の大きさを変更することにより、インキの流量を調整することができる。
【００５１】
この第三の実施形態においては、ペン先２が押し込まれて着座ブロック２２の上面が流量規制体３７に当接しても、スリット１７（又は開口）から弁芯支持孔１５及び溝３８を経て弁ケース本体１２内に至る限定されたインキ流路が常時開放状態に確保されるため、少量づつではあるが、一定量のインキが弁ケース本体１２内に供給されて、ペン先２に含浸され続ける。従って、連続筆記しても、文字の掠れが起こるおそれはない。
【００５２】
なお、流量規制体３７をゴム又は樹脂製エラストマーその他の軟質弾性材で形成した場合は、筆記に適した筆記圧以上の強い筆圧がかかった場合でも、その弾性力がクッションとなるため、ペン先２の潰れや変形を防止することが可能となる。
【００５３】
この発明をある程度詳細にその好ましい実施形態について説明してきたが、この発明の精神と範囲に反することなしに広範に異なる実施形態を構成することができることは明白である。従って、この発明は、請求の範囲において限定した以外はその特定の実施形態に制約されるものではない。
【符号の説明】
【００５４】
１    インキタンク軸
２    ペン先
３    バルブ機構部
４    ペン先ホルダー  
５    弁ケース   
６    受座筒
７    受座部
１２    弁ケース本体
１３    弁芯支持部
１５    弁芯支持孔                      
２１    弁芯
２２    着座ブロック
２３    着座面
２４    囲周壁
２４ａ  スリット
２５    リターンスプリング
２８    段部
２９    溝
３７    流量規制体
３８    溝
【図１】
2013144379.tif 000003
【図２】
2013144379.tif 000004
【図３】
2013144379.tif 000005
【図４】
2013144379.tif 000006
【図５】
2013144379.tif 000007
【図６】
2013144379.tif 000008
【図７】
2013144379.tif 000009
【図８】
2013144379.tif 000010
【図９】
2013144379.tif 000011
【図１０】
2013144379.tif 000012
【図１１】
2013144379.tif 000013